(57)【要約】本発明は座るため又は寝るための家具の緩衝装置、特にはベッドマットレスのためのばね要素１に関する。ばね要素１はばね本体１０と、ばね本体１０上に配置される調整部分３０とを備え、ばね本体１０及び調整部分３０はプラスチックから１つの部品として射出成形される。ばね要素１を幅広い適用範囲で使用できるように開発するために、次のような特徴を持つばね要素１が使用される。ばね本体１０は長手方向４０に延在するリング部品１１として設計され、リング部品は中央部分１２において１つの部品として互いに移行する２つのリング部品部分１３，１４を備え、リング部品部分はそれぞれ高さ方向４２において中央部分１２を起点とする上方への傾斜を有し、長手方向４０において互いに対向して位置するリング部品部分１３，１４の端部領域１５，１６は互いに連結され、調整部分３０は端部領域１５，１６の間に位置する。
2013542027.tif 000002
【特許請求の範囲】
【請求項１】
座るため又は寝るための家具の緩衝装置、特にはベッドマットレスのためのばね要素であって、ばね本体（１０）と、前記ばね本体（１０）上に配置される調整部分（３０）とを備え、前記ばね本体（１０）及び前記調整部分（３０）はプラスチックから１つの部品として射出成形され、
前記ばね本体（１０）は長手方向（４０）に延在するリング部品（１１）として設計され、前記リング部品は、中央部分（１２）において１つの部品に互いに移行する２つのリング部品部分（１３，１４）を備え、前記リング部品部分はそれぞれ高さ方向（４２）において前記中央部分（１２）を起点とする上方への傾斜を有し、前記長手方向（４０）において互いに対向して位置する前記リング部品部分（１３，１４）の端部領域（１５，１６）は互いに連結され、前記調整部分（３０）は前記端部領域（１５，１６）の間に位置することを特徴とするばね要素。
【請求項２】
前記リング部品（１１）は前記中央部分（１２）の領域においてテーパー状であることを特徴とする請求項１に記載のばね要素。
【請求項３】
前記調整部分（３０）はテーパー状のストリップ部材として設計されることを特徴とする請求項１又は２に記載のばね要素。
【請求項４】
ストリップ部材はその長手方向（４０）に対して凸状をなしていることを特徴とする請求項３に記載のばね要素。
【請求項５】
請求項１〜４のうちいずれか一項に記載のばね要素であって、前記中央部分（１２）は２つの連結拡張部分（１７，１８）を前記リング部品の外側に有し、前記２つの連結拡張部分（１７，１８）は前記リング部品（１１）の横断方向（４１）に互いに対向して配置され、好ましくは前記リング部品（１１）と共に１つの部品を形成することを特徴とするばね要素。
【請求項６】
請求項１〜５のうちいずれか一項に記載のばね要素であって、第２のばね本体（２０）は前記長手方向（４０）に延在するリング部品（２１）として設計され、前記リング部品は、中央部分（２２）で１つの部品として互いに移行する２つのリング部品部分（２３，２４）を備え、それぞれ高さ方向（４２）において前記中央部分（２２）を起点とする上方への傾斜を有することを特徴とするばね要素。
【請求項７】
前記第２のばね本体（２０）の前記リング部品（２１）は第１のばね本体（１０）の前記リング部品（１１）を内包することを特徴とする請求項６に記載のばね要素。
【請求項８】
請求項６又は７に記載のばね要素であって、前記２つのばね本体（１０，２０）は１つの部品として設計され、前記ばね本体（１０，２０）は互いに連結され、第１のばね本体（１０）の前記連結拡張部分（１７，１８）が介在されることを特徴とするばね要素。
【請求項９】
請求項６〜８のうちいずれか一項に記載のばね要素であって、前記リング部品の前記外側で、前記第２のばね本体（２０）の前記中央部分（２２）は２つの連結部材（２７，２８）又は連結部分（９０，９１；１００，１０１）を有し、前記２つの連結部材（２７，２８）又は連結部分（９０，９１；１００，１０１）は、前記リング部品（２１）の前記横断方向（４１）において互いに対向して位置し、好ましくは、前記リング部品（２１）と共に１つの部品に形成されることを特徴とするばね要素。
【請求項１０】
前記連結部分（９０，９１；１００，１０１）はそれぞれ、Ｔ字型の溝（９２）又はＴ字型の連結部品（１０２）のいずれかを提供することを特徴とする請求項９に記載のばね要素。
【請求項１１】
請求項１〜１０のうちいずれか一項に記載の２つのばね要素（１）を、好ましくは取り外し可能に連結するための連結装置であって、ピン型の基部本体（６１）を備え、前記ピン型の基部本体（６１）はそれぞれ一方の端部側面及び他方の端部側面に連結部分（６２，６３）を有し、前記連結部分は、前記ばね要素（１）の連結拡張部分（１７，１８）と、連結部材（２７，２８）及び前記連結部分（９０，９１；１００，１０１）の少なくともいずれか一方に対応して形成されることを特徴とする連結装置。
【請求項１２】
座るため及び寝るための少なくとも一方のための１台の家具における緩衝及びマットレスの装置の少なくとも一方の装置の底部サスペンションのためのばねシステムであって、複数のばね要素（１）と、複数の連結レール（２０１）とを備え、それによって、ばね要素を互いに組み合わせてグループを形成し、前記ばね要素（１）は連結部材（２７，２８）又は連結部分（９０，９１；１００、１０１）を備え、前記連結レール（２０１）は前記ばね要素（１）の前記連結部材（２７，２８）又は前記連結部分（９０，９１；１００，１０１）に対応して設計された連結手段を備え、前記ばね要素の前記連結部分（９０，９１）又は前記連結レール（２０１）の前記連結手段のいずれかがＴ字型の溝を提供することを特徴とするばねシステム。
【請求項１３】
前記連結レール（２０１）は互いに角度を付けた部分を備えることを特徴とする請求項１２に記載のばねシステム。
【請求項１４】
アダプタ（２０５）は連結レール（２０１）とばね要素（１）との間に介在されることを特徴とする請求項１２又は１３に記載のばねシステム。
【請求項１５】
スペーサ（２２４）は２つのばね要素（１）間に介在されることを特徴とする請求項１２〜１４のうちいずれか一項に記載のばねシステム。
【発明の詳細な説明】
【技術分野】
【０００１】
本発明は、座るため又は寝るための１台の家具の緩衝装置、具体的にはベッドマットレスのためのばね要素に関する。ばね要素は、ばね本体と、ばね本体上に配置される調整部分とを備え、ばね本体及び調整部分はプラスチックから１つの部品として射出成形される。
【背景技術】
【０００２】
上記に言及したばね要素、つまり一般的な種類のばね要素は、従来技術から周知である。そのため、本明細書では先行文献に対する特別な参照は基本的に行わない。例として、特許文献１及び特許文献２を参照してもよい。さらに、特許文献３及び特許文献４も参照されるが、特許文献３は射出成形したばね要素を示しておらず、特許文献４は１つの部品であるばね要素を示していない。
【０００３】
別のばね要素は、特許文献５、特許文献６及び特許文献７から既知である。特許文献５はばね要素に関し、このばね要素は基部と、カバープレートと、基部とカバープレートとの間に配置されるばね本体とからなる。カバープレートは、並んで配置される２つの長手方向の部品によって形成される。各部品は、基部に対し、それ自体の個別のばね本体によって支持されている。
【０００４】
前述のばね要素は、緩衝装置と連結して、具体的にはベッドマットレスと連結して用いられるように機能する。ばね要素は緩衝装置の対応する凹部に配置することができ、又は緩衝装置を支持するように機能してもよい。この場合、緩衝装置は保持装置によって、たとえばスラット付きフレームの形で支持される。
【先行技術文献】
【特許文献】
【０００５】
【特許文献１】国際公開第２００５／０４８７８１号パンフレット
【特許文献２】欧州特許出願公開第１０４６３６１号明細書
【特許文献３】独国特許出願公開第２０１５６５９号明細書
【特許文献４】国際公開第０１／５０９２３号パンフレット
【特許文献５】独国実用新案出願公開第２０２００９００６８０２号明細書
【特許文献６】欧州特許第１６０２３０３号明細書
【特許文献７】欧州特許出願公開２２２０９６８号明細書
【発明の概要】
【発明が解決しようとする課題】
【０００６】
既知のばね要素が日常の使用においては有益であることが証明されているが、ばね要素には、特に、幅広い適用範囲を考慮して改良が必要である。したがって、本発明の目的は、上記の種類のばね要素を改良して、幅広い適用範囲に使用できるようにすることにある。
【課題を解決するための手段】
【０００７】
この目的を達成するために、本発明は上記の種類のばね要素を提供する。本ばね要素は次の特徴を有する。ばね本体は長手方向に延在するリング部品として設計され、リング部品は、中央部分において１つの部品に互いに移行する２つのリング部品部分を備える。上記リング部品部分のそれぞれは、高さ方向に中央部分を起点とする上方への傾斜を有する。長手方向において互いに対向して位置するリング部品部分の端部領域は、互いに連結され、調整部分はその間に位置する。
【０００８】
本発明によるばね要素は、線細工を施した幾何学的な設計を特徴とする。この特徴によって、安定した堅牢な使用が可能となると同時に、優れた弾性能力が提示される。したがって、本発明によるばね要素を使用すると、効果的で幅広い適用が可能となる。
【０００９】
本発明によると、ばね本体は長手方向に延在するリング部品として設計される。このリング部品は、第１のリング部品部分と、第２のリング部品部分とを備える。両方のリング部品部分は、中央部分において１つの部品に互いに移行する（すなわち、一体化する）ように設計される。中央部分の領域では、リング部品は好ましくはテーパー状であり、リング部品の幾何学的な設計すべてを合わせると、蝶の羽根に類似する。
【００１０】
リング部品部分のそれぞれは、中央部分を起点として高さ方向に沿った上方への傾斜を有する。適正な荷重がかかると、この設計により、リング部品部分は下方へ圧縮される。
リング部品部分はそれぞれ端部領域を有する。これらの端部領域は長手方向において互いに対向して位置する。この限りでは、各リング部品部分は、中央部分を起点とする２つのばねアームを提供する。このばねアームは、それぞれの端部領域を介して別の端部と互いに結合する。本明細書では、リング部品のそれぞれの端部領域が関連するばねアームに１つの部品として移行するのと同じ方法で、個別のリング部品部分のばねアームは１つの部品として互いに移行する。
【００１１】
リング部品部分の端部領域は長手方向において互いに対向して位置し、互いに連結され、調整部分はその間に位置する。この設計により、リング部品部分は中央部分だけではなく調整部分を介して互いに連結される。本明細書では、調整部分は、好ましくは、テーパー状のストリップ部材として設計され、その長手方向に対して凸状の設計を有する。そのため、調整部分は湾曲する延長部分を有し、高さ方向の上部部分は、ばね本体の中央部分に対向して位置する。
【００１２】
適切な適用例では、調整部分は、力が加わるときに、緩衝装置に当接する部分として機能する。適切な適用例では、力が加わると、調整部分自体がばね本体に対して圧縮可能である。適切な緊張によって加えられた力は、調整部分からばね要素のばね本体まで伝達され、その結果としてばね本体も圧縮される。本明細書では、ばね本体の２つのリング部品部分は互いに離間されてもよく、拡張運動の可能性は、リング部品部分の２つの端部領域間に配置される調整部分によって制限される。本発明によるこの構成により、安定して強いと同時に、優れた弾性能力を備える全体的な構造が得られる。
【００１３】
ばね要素は、ばね本体の中央部分に対して対称的に設計される。緊張時には、最適な力の導入が保証される。回避運動につながる不均等な緊張を完全に避けることができることは有利な点である。
【００１４】
さらに、調整部分は開口部を備える。開口部は、リング部品部分の端部領域に隣接するように配置されることが好ましい。このように開口部を配置することによって、具体的には、リング部品部分に最適な方法で力を導入できるという利点が得られる。
【００１５】
本発明の別の特徴によると、ばね本体は、２つの連結拡張部分をリング部品の外側に備える。２つの連結拡張部分はリング部品の横断方向において互いに対向して配置され、好ましくはリング部品と共に１つの部品を形成する。
【００１６】
これらの連結拡張部分は、ばね要素を保持装置上の安全な位置に配置できるように機能する。このような保持装置は、たとえばスラット付きフレームのスラットである。連結拡張部分は貫通穴を有してもよく、その貫通穴を通して、ねじ、リベット及び／又は類似の固定手段が案内され、ばね要素を保持装置に固定する。代替の実施形態では、連結拡張部分は、ばね要素の最終組立状態での保持装置の対応する穴に係合するピンを備えてもよい。
【００１７】
さらに、連結拡張部分は、２つのばね要素を互いに組み合わせて共通のばねモジュールを形成するように機能してもよい。
本発明の別の特徴によると、連結装置を用いて個別のばね要素を連結することができる。この連結装置はピン型の基部本体を有する。ピン型の基部本体は、１つの端部側及び他方の端部側にそれぞれ連結部分を有し、連結部分は、ばね要素の連結拡張部分に対応するように設計される。連結装置は、２つのばね要素間を互いに連結する連結リンクとして機能する。ばね要素は、高さ方向において互いに上下に組み合わせることもでき、長手方向において互いに次々に組み合わせることもできる。長手方向の場合には、連結装置は、それぞれ２つのばね要素の間のスペーサとしても機能する。
【００１８】
本発明の別の特徴によると、ばね要素は第２のばね本体を有する。実際に、この第２のばね本体は、第１のばね本体と同等の設計、つまり、長手方向に延在するリング部品の形を備える。このリング部品も中央部分を備え、この中央部分を起点として２つのリング部品部分が形成される。２つのリング部品部分は１つの部品として互いに移行する。さらに、第１のばね本体のリング部品部分と同様に、第２のばね本体のリング部品部分は、高さ方向に、関連する中央部分を起点とする上方への傾斜を有する。第２のばね本体のリング部品は中央部分の領域においてテーパー状であり、第１のばね本体の構造に従い、蝶の羽状の構造を示す。
【００１９】
第２のばね本体のリング部品部分は、関連する中央部分に対向して位置する端部領域を有する。これらの端部領域は、好ましくは、中央部分に向けて厚くなっている。本明細書では、これらの厚み部分はそれぞれ、適切な適用例では、力を最適な方法でリング部品部分に導入するように機能するいわゆる調整部分を表す。
【００２０】
第２のばね本体のリング部品は、第１のばね本体のリング部品を内包する。両方のリング部品は、好ましくは同心状に位置合わせされる。本明細書では、第１のばね本体のリング部品部分の端部領域は、中央部分に向かう方向に湾曲することが好ましい。この設計により、第１及び第２のばね本体のリング部品のそれぞれの端部領域間の空間が増加する。この空間が増加したことにより、第２のばね本体のリング部品の端部領域を前述したように厚くすることが可能となる。結果として、第１のばね本体のリング部品及び第２のばね本体のリング部品の円周全体の間の距離が一定となる。
【００２１】
両方のばね本体は、好ましくは１つの部品として形成される。ばね本体は互いに連結され、第１のばね本体の連結拡張部分は間に配置される。連結拡張部分は両方のばね本体のリング部品間のスペーサとしても機能する。
【００２２】
リング部品の外側で、第２のばね本体の中央部分は、好ましくは、リング部品の横断方向において互いに対向して位置する２つの連結部材を有する。これらの連結部材は、好ましくはリング部品と共に１つの部品を形成する。
【００２３】
連結部材は、２つのばね要素を互いに組み合わせて、高さ方向にばねモジュールを形成するか、又は順々に整列して配置されるばね要素を長手方向に形成できるように機能する。本明細書では、また、すでに前述した様式で連結装置を用いることもでき、連結装置は、ばね要素の連結拡張部分及び連結部材の両方に対応する連結部分を備える。
【００２４】
ばね要素及び連結装置の両方は、好ましくは、単一のサンドイッチスタイルにしたがって設計される。つまり、ばね要素及び連結装置は２つの構成部品からなる人工素材であり、１つのプラスチック部品がコアを形成し、別のプラスチック部品がコアを内包する外皮を形成する。本発明の好ましい実施形態によれば、ばね要素の連結部材は、Ｔ字型の溝又はＴ字型の連結部品を備え、どちらの場合でも連結部材は連結部分と呼ばれる。
【００２５】
一方ではＴ字型の溝を備える連結部分を有するばね要素を提供し、他方ではＴ字型の連結部品を備える連結部分を有するばね要素を提供することが好ましい。本明細書では、対応して設計された連結部分を有する２つのばね要素を互いに組み合わせて共通のばねモジュールを形成するように、Ｔ字型の連結部品はＴ字型の溝に対応して形成される。ばねモジュールは、最終組立状態では高さ方向に、２つの上下に配置されるばね要素を有する。本明細書では、連結部分に関する設計を考慮して、ばね要素をオス型及びメス型ばね要素として設計することができる。メス型ばね要素及びオス型ばね要素は、互いに前述の様式で組み合わせることができる。
【００２６】
前述の方法で設計されるばね要素の連結部分はさらに、ばね要素を簡単な方法で連結構造上に配置するように機能する。簡単な方法とは、たとえば複数の個別のばね要素を受容し、互いに組み合わせてグループを形成する連結レールの形である。ばね要素の連結部分の設計によって、このような連結レールはＴ字型の溝又はＴ字型の連結部品を連結手段として有していてもよい。
【００２７】
さらに、本発明は、座るため及び／又は寝るための１台の家具の緩衝及び／又はマットレス装置用底部サスペンションのためのばねシステムを提示する。ばねシステムは、複数のばね要素と、複数の連結レールとを備え、それによって、ばね要素を互いに組み合わせてグループを形成することができる。ばね要素は連結部分を備え、連結レールは、ばね要素の連結部分に対応して設計された連結手段を備える。
【００２８】
この種のばねシステムは、従来技術から周知である。ばねシステムは、たとえば、ベッドのベッドマットレスの底部サスペンションとして機能する。ばねシステムは、たとえば欧州特許出願公開第１３５８８２５号明細書から周知である。
【００２９】
従来既知のばねシステムは、一方ではばね要素を備え、他方では連結レールを備える。本明細書では、複数のばね要素を互いに組み合わせて、連結レールによってグループを形成することができる。底部サスペンションを装備する緩衝及び／又はマットレス装置のサイズによって、複数の連結レールを用いることができ、各連結レールは、連結レールの長手方向に並んで配置される多数のばね要素を有する。
【００３０】
ばね要素を連結レールに連結するために、差し込み継手に類似するハンマー型頭部システムを用いることは、欧州特許出願公開第１３５８８２５号明細書による従来技術から既知である。このシステムによれば、連結レールは、ハンマー型又はきのこ型頭部を所定の位置に備える。連結レールに結合するばね要素は、連結レールのハンマー型又はきのこ型頭部に対応する穴を備える。組み立てる場合には、ばね要素のそれぞれの穴をまず、ハンマー型又はきのこ型頭部上に配置し、連結レールのハンマー型又はきのこ型頭部が、ばね要素が備える穴に入るようにしなければならない。次に、ばね要素をたとえば９０°の角度で回転させ，連結レールのハンマー型又はきのこ型頭部とばね要素が互いに固定されるようにする。
【００３１】
前述の設計は日常の使用では有用であることが分かっているが、不利な点も有する。一方では、ばね要素の取り付けがかなり複雑であるため、連結レールの初期装備が不利であることが分かっている。他方では、既知の構造は、ばね要素の配置に対して柔軟ではない。これまでのところ、改良の必要があり、全体として取り扱いが容易であると同時に、効率を向上可能なばねシステムが所望される。
【００３２】
したがって、本発明は、ばね要素の連結部分又は連結レールの連結手段のいずれかがＴ字型の溝を提供することを特徴とするばねシステムを提示する。
本発明による構造の基部上には、一方では連結レールと、他方ではこの連結レールに関連するばね要素との間の連結が提示される。この連結は、Ｔ字型の溝を備える。本明細書では、Ｔ字型の溝をばね要素の側面又は連結レールの側面のいずれかに備えることができる。そのため、本発明は、ばね要素の連結部分又は連結レールの連結手段のいずれかがＴ字型の溝を提供することを提示する。
【００３３】
最終組立状態では、本発明によって提供されるＴ字型の溝は、溝の形状に対応してＴ字型の対応する対応部品と協働する。対応部品は、ばね要素の連結部分又は連結レールの連結手段のどちらがＴ字型の溝を有するかによって、ばね要素の連結部分又は連結レールの連結手段のいずれかによって提供される。いずれにしても、最終組立状態では、Ｔ字型の溝及び対応するＴ字型の対応部品は互いに係合する。
【００３４】
本発明による構造は、具体的には、簡単な組み立てが可能であるという有利点を提供する。このように、互いに挿入することだけで、溝及び対応部品を迅速かつ確実に取り付けることができる。さらに、連結レールの設計によって、組み立てた状態のばね要素を保持する連結レールに対して、ばね要素を個別に配置することができる。具体的には、連結レールの長手方向に隣接するばね要素間の距離を、簡単な様式で個別に設定することが可能になる。適用事例によって、連結レールは異なってもよい。
【００３５】
第１の代替手段によれば、連結レールは、スラット付きフレームのスラットと同様に直線状に延在する。連結レールは、ばね要素を連結するための領域をその１つの上側に有する。本明細書では、ばね要素に取り外し可能に連結するための連結手段をＴ字型の溝の形で備える。Ｔ字型の溝は、連結レールの長手方向の延長部分全体にわたって中心的にかつ直線状に延在する。すでに前述した様式で、次に、ばね要素は連結レールのＴ字型の溝に対するＴ字型の対応部品である連結部分を備える。
【００３６】
前述の代替手段によれば、連結レールは自己支持であっても、自己支持ではなくても、どちらでもよい。自己支持ではない設計の場合は、連結レールは保持支持部に収容される。この保持支持部は、たとえばスラット付きフレームのスラット又は格子状であってもよい。格子状の保持支持部の場合も、複数の連結レールを共通の保持支持部に割り当ててもよい。前述の代替手段によれば、連結レールは、好ましくは、アルミニウム形材、たとえば押出形材から形成される。
【００３７】
代替の設計によれば、連結レールは、互いに角度を付けて配向される個別の部分によって形成される。本実施形態によると、このように、連結レールは直線状に延在せず、むしろ、１８０°より小さい角度、たとえば互いに１１０°、１２０°、１３０°又は１４０°で角度を付けられる個別の部分を備える。このように、いわゆる「ジグザグ状」構成が形成される。ばね要素をこのように設計された連結レールに連結するために、好ましくは、断面がＴ字型の連結部品の形式の連結手段を用いる。したがって、ばね要素の連結部分は、それぞれＴ字型の溝を有する。最終組立状態では、連結レールのＴ字型の連結部品は、ばね要素の連結部分のそれぞれの溝と係合する。
【００３８】
本発明の特別な実施形態によれば、連結部品は、連結レールの長手方向延長部分に対して横断方向に配向されてもよい。本明細書では、連結部品は、好ましくは、連結レールの２つの部分間のそれぞれの移行領域において、連結レールに進出する。
【００３９】
本発明によるばねシステムにより、個別の要件がより良い方法で満たされるため、全体として、取り扱い、組み立て又は分解がさらに容易になり、さらに、効率の向上が実現する構造が提示される。ばねシステムに属する個別の部品、たとえば、具体的には、ばね要素及び連結レールをモジュール式概念にしたがって互いに組み合わせることができ、システムによって変化させることもできるが、これは従来技術の既知の装置では不可能であった。
【図面の簡単な説明】
【００４０】
本発明の別の特徴及び利点は、図による次の説明から明らかになるであろう。
【図１】本発明によるばね要素の第１の実施形態を上から見た概略斜視図である。
【図２】図１によるばね要素の概略側面図である。
【図３】図１によるばね要素を上から見た概略上面図である。
【図４】本発明によるばね要素の第２の実施形態を上から見た概略斜視図である。
【図５】図４によるばね要素の概略側面図である。
【図６】図４によるばね要素を上から見た概略上面図である。
【図７】図４による本発明のばね要素を連結装置と組み合わせて、上から見た概略上面図である。
【図８】連結装置によって結合した図４による本発明のばね要素と第３の実施形態による本発明のばね要素の概略斜視図である。
【図９】ばね要素マットを上から見た概略上面図である。
【図１０】本発明によるばねモジュールの概略斜視図である。
【図１１】本発明によるばね要素の別の実施形態の第１のデザインを上から見た概略斜視図である。
【図１２】図１１によるばね要素を上から見た上面図である。
【図１３】図１２によるばね要素の図１２の切断線Ａ−Ａに沿った部分的切断側面図である。
【図１４】図１２によるばね要素の図１２の切断線Ｂ−Ｂに沿った部分的切断側面図である。
【図１５】本発明によるばね要素の別の実施形態の第２の設計を上から見た概略斜視図である。
【図１６】図１５によるばね要素を上から見た上面図である。
【図１７】図１６によるばね要素の図１６の切断線Ａ−Ａに沿った部分的切断側面図である。
【図１８】図１６によるばね要素の図１６の切断線Ｂ−Ｂに沿った部分的切断側面図である。
【図１９】第２の実施形態による連結装置の概略斜視図である。
【図２０】図１９による連結装置を上から見た上面図である。
【図２１】図１９による連結装置の側面図である。
【図２２】図１９による連結装置の正面図である。
【図２３】図１９による連結装置によって互いに組み合わせた、図１５による２つのばね要素の概略斜視図である。
【図２４】図２３によるばね要素及び連結装置を上から見た上面図である。
【図２５】図２３によるばね要素及び連結装置の側面図である。
【図２６】図１１及び１５による２つのばね要素を組み合わせて構成されるばねモジュールの側面図である。
【図２７】図２６によるばねモジュールの概略斜視図である。
【図２８】連結装置の概略斜視図である。
【図２９】図２８による連結装置の側面図である。
【図３０】図２８による連結装置を上から見た上面図である。
【図３１】図３０による連結装置の図３０の切断線Ｂ−Ｂに沿った切断側面図である。
【図３２】図２８による連結装置によって互いに組み合わせた、図２６による２つのばねモジュールの側面図である。
【図３３】本発明によるばねシステムの概略斜視図である。
【図３４】図３３によるばねシステムを下から見た概略斜視図である。
【図３５】図３３によるばねシステムを上から見た上面図である。
【図３６】ばね要素を装備した連結レールの概略展開図である。
【図３７】第１の組立状態における図３３によるばねシステムの部分的切断正面図である。
【図３８】第２の組立状態における図３３によるばねシステムの正面図である。
【図３９】本発明によるアダプタの概略斜視図である。
【図４０】本発明による連結レールの第１の実施形態の概略斜視図である。
【図４１】ばね要素を取り付けた図４０による連結レールの概略斜視図である。
【図４２】本発明によるカバーの概略正面図である。
【図４３】本発明による連結レールの第２の実施形態の概略斜視図である。
【図４４】本発明による連結レールの第２の実施形態の修正の概略斜視図である。
【図４５】本発明による連結レールの第３の実施形態の概略斜視図である。
【図４６】図４５による連結レールを下から見た平面図である。
【図４７】図４５による連結レールを上から見た上面図である。
【発明を実施するための形態】
【００４１】
図１から８までは、本発明によるばね要素１の異なる実施形態を示す。図９は複数のばね要素１によって形成されるばね要素マット７０を示す。
図１において、本発明によるばね要素１の第１の実施形態を示す。ばね要素１は、ばね本体１０と、調整部分３０とを備える。本明細書では、ばね本体１０及び調整部分３０は、プラスチックから１つの部品として、好ましくは単一のサンドイッチスタイルで射出成形される。
【００４２】
ばね本体１０は、長手方向４０に延在するリング部品１１として設計される。リング部品１１は、中央部分１２において１つの部品に互いに移行する２つのリング部品部分１３及び１４を備える。図２の表示から特に明らかなように、上記リング部品部分それぞれは、中央部分１２を起点とする高さ方向４２に沿った上方への傾斜を有する。長手方向４０において互いに対向して位置するリング部品部分１３及び１４の端部領域１５及び１６は、互いに連結し、調整部分３０はその間に位置する。
【００４３】
図１の実施形態によれば、調整部分３０は開口部３１を備える。代替の実施形態によれば、調整部分３０は、連続する部品として設計されてもよく、つまり図１に表す実施形態とは対照的に、開口部がなくてもよい。
【００４４】
調整部分３０と同様に、ばね本体１０のリング部品１１は中央部分１２の領域においてテーパー状になる。さらに、リング部品部分１３及び１４の端部領域１５及び１６は、それぞれ中央部分１２に向かう方向に湾曲する。図１と３を一緒に見ると、この事実は特に明確である。
【００４５】
図２の表示から特に明らかであるように、調整部分３０はその長手方向４０に関して凸状をなす。リング部品部分１３及び１４の端部領域１５及び１６は、この調整部分３０を介在させた状態で、互いに連結されている。
【００４６】
リング部品１１は、２つの連結拡張部分１７及び１８をリング部品の外側に備える。２つの連結拡張部分１７及び１８は、リング部品１１の横断方向４１において互いに対向して配置される。これらの連結拡張部分１７及び１８は、２つのばね要素１を連結するために、及び／又はばね要素１を保持装置上に、たとえばスラット付きフレームのスラットなどの上に配置するために機能する。このために、連結拡張部分１７及び１８は、穴１９を備える。穴１９には、適切な適用例においては、連結ピンが係合する。このような連結ピンを保持装置側に備えることもできる。代替的に、ばね要素１を保持装置上にリベット留め、又はねじで留めることも考えられる。穴１９はこのような連結部材を通すように機能する。図示する実施形態に対して代替的に、ピン及び／又は同様の部材を穴１９の代わりに備えることもできる。この場合、ばね要素１を受容する保持装置は対応する連結穴を備える。
【００４７】
図４から６の実施形態は、本発明の別の設計を示す。本実施形態によると、ばね要素１は第２のばね本体２０を備える。第１のばね本体１０に対応して、この第２のばね本体はリング部品２１として設計され、中央部分２２を起点とする２つのリング部品部分２３及び２４を備える。これらのリング部品部分２３及び２４は、中央部分２２に向かう方向において厚み部分５０をそれぞれ含む端部領域２５及び２６をそれぞれ提供する。
【００４８】
図４の表示から特に明らかであるように、第２のばね本体２０のリング部品２１は、第１のばね本体１０のリング部品１１を内包する。本明細書では、２つのばね本体１０及び２０は１つの部品として形成され、ばね本体１０及び２０は、第１のばね本体１０の連結拡張部分１７及び１８の介在によって互いに連結される。これらの連結拡張部分１７及び１８は、すでに前述した穴１９をそれぞれ備えていてもよい。穴１９の中を貫通して、ねじ、リベット、ピンなどの形態の連結手段が、ばね要素１を保持装置に連結するため、及び／又は２つのばね要素１を連結するために案内されてもよい。代替的に、図４の連結拡張部分１８によって例示的に示すように、連結拡張部分も穴を備えずに設計することができる。
【００４９】
第２のばね本体２０のリング部品２１は、リング部品の外側に２つの連結部材２７及び２８を備える。図６の表示から特に明らかであるように、２つの連結部材２７及び２８は、リング部品２１の横断方向４１において互いに対向して位置する。これらの連結部材２７及び２８も２つのばね要素１を連結するため、及び／又はばね要素１を保持装置上に配置するために機能する。このために、連結部材２７及び２８は、穴及び／又はピン２９の形で連結装置を備える。これは、図４と６を一緒に見ると、特に明らかとなる。
【００５０】
図７及び８は、２つのばね要素１を、好ましくは取り外し可能に連結するために機能する連結装置６０の代表的な使用例を示す。連結装置６０はピン型の基部本体６１を備える。ピン型の基部本体６１は、１つの端部側及び他方の端部側に、それぞれ連結部分６２及び６３を有し、連結部分６２及び６３は、ばね要素１の連結拡張部分１７及び１８及び／又は連結部材２７及び２８に対応するように設計される。さらに、連結部分６２及び６３は凹部６６を提供する。凹部６６では、図７の表示から特に明らかであるように、具体的には連結部材２７及び２８は、ばね要素１を連結装置６０にねじれないように配置するために係合する。
【００５１】
連結装置６０の連結部分６２及び６３はさらに、穴６４及びピン６５を備えていてもよい。図７の表示からも特に明らかであるように、穴６４及びピン６５は、対応して設計されたばね要素１の連結拡張部分１７及び１８又は連結部材２７及び２８と協働する。
【００５２】
連結装置６０により、ばね要素を順々に配列することができる。この場合には、図８の表示から特に明らかであるように、連結装置６０はばね要素１間のスペーサとしても機能する。図８では、開口部３１を備える調整部分３０を有する「二重の」ばね要素が明白に示される。
【００５３】
本発明による種類の２つのばね要素１は、高さ方向４２において互いに上下に組み合わせて、図１０に例示的に表示されるばねモジュール８０を形成することもできる。このような場合には、連結拡張部分１７及び１８又は連結部材２７及び２８は、それぞれの裏面が互いに対面するように互いに隣接する。このようにして、高さ方向４２において上方及び下方に向かう、リング部品１１又はリング部品２１を備えるばねモジュール８０が形成される。図１０に示す２つのばね要素１の間に形成される連結領域８１は、概略的にしか図示されていない。好ましくは、ばね要素１の連結拡張部分１７及び１８又は連結部材２７及び２８は裏面で、好ましくは連結装置６０が介在して、互いに隣接している。さらに、図１０によるばねモジュール８０は、代表的な設計を代表しているのみであることは言うまでもない。別のばね要素１も、互いに組み合わせて、ばねモジュール８０を形成することができる。たとえば、図１から３に表示するようなばね要素１、つまり１つのリング部品１１のみを備え、したがって、「単一の」ばね要素１と呼ばれるばね要素１を互いに組み合わせて、ばねモジュール８０を形成することができる。
【００５４】
また、前述の種類のばねモジュールを連結装置６０によって互いに連結することができる。つまり、ばねモジュールは順々に配列される。本明細書では、連結装置６０は２つのばねモジュールを互いに連結するだけではなく、ばねモジュールの２つのばね要素１を連結する。
【００５５】
本発明による種類のばね要素１、又は本発明による種類の２つのばね要素１からなるばねモジュールを、たとえば発泡素材製のマットレスの形の緩衝装置に挿入することができる。本実施形態によると、緩衝装置は対応する凹部を備える。凹部の断面形状は、ばね要素１又は２つのばね要素１からなるばねモジュールに対応して適合する。ばね要素１又はばねモジュールをそのような凹部に挿入することができる。また、順々に配列された複数のばね要素１又はばねモジュールをそのような緩衝装置の凹部に挿入することができる。
【００５６】
図９では、ばね要素マット７０を図示する。ばね要素マット７０は、連結装置７１によって互いに結合される複数のばね要素１から形成される。図９の表示から明らかであるように、複数の連結装置７１が用いられ、連結装置は長手方向４０において「ジグザグ」状である。本明細書では、連結装置７１の特殊性は、１つの列のばね要素、つまり長手方向４０において互いに連続するばね要素１が互いに連結されること、また、隣接する列のばね要素１、つまり横断方向４１において隣接するばね要素１が互いに連結されることである。このようにして、織り合わされたマット構造が形成され、それによって、衝撃力を最適な方法でばね要素１に導入することができる。「ジグザグ」形に延在する連結装置７１の代わりに、線形連結装置７１も用いることができる。
【００５７】
連結装置７１は、好ましくは、人工素材製のストリップ部材として設計され、連結スポット７２を提供する。連結スポット７２は、それぞれ穴又はピンを備え、それによってばね要素１に連結可能となる。本明細書では、ばね要素の設計により、連結拡張部分１７及び１８又は連結部材２７及び２８のいずれかを用いて連結装置７１に連結し、連結装置７１の連結スポット７２は、連結拡張部分１７及び１８又は連結部材２７及び２８に対応して設計される。
【００５８】
図９の表示からさらに明らかであるように、ばね要素マット７０のばね要素１は、列になったばね要素１の半分だけ、互いにずれて配置される。このように、スキップがないコンパクトな構造が得られる。先端においてのみ、つまり図面に対して左側及び右側それぞれに、１列おきにばね要素１の半分のサイズを有する１つの隙間がある。しかし、これらの隙間は、負荷があったとしても、ほとんど負荷のかからない端部領域にのみ、システムに依存して表れるため、これらの隙間はばね要素マット７０の弾性の品質を損なうことはない。ばね要素マット７０のコア領域では、ばね要素１はむしろ、互いに「空いている」ところで互いに係合する。それによって、ばね要素マット７０に力が十分に配分されて導入されるため、弾性による快適さは、従来技術から既知のばね要素マットと比較して、明らかに高い。
【００５９】
さらに、図９によるばね要素マット７０を非常に単純な様式で設計することもできる。このように、連結装置７１を無限バンドとして生産することができる。後の使用法によって、連結装置７１を個別の長さに切断して、連結スポット７２でのばね素材１の対応する数を備えてもよい。ばね要素マット７０は、さらに連結装置７１又はばね要素をばね要素マット７０に連続して連結することによって、横断方向４１において半無限としてもよい。結果として、ばね要素マット７０は、有利には、個々のサイズに容易に適応できるように設計される。
【００６０】
さらに、図９に表すばね要素１とは異なるばね要素１を備えた図９によるばね要素マット７０を設計することも、本発明の範囲内である。ばね要素マット７０を形成するために、「単一の」ばね要素１及び「二重の」ばね要素１の両方を用いることができる。つまり、１つのリング部品１１のみを備えるばね要素１又は、２つのリング部品１１及び２１を備えるばね要素１の両方を用いることができる。さらに、ばね要素１だけではなく、ばねモジュール８０も、図１０の表示にしたがって、連結装置７１によって互いに連結することができる。さらに、ばね要素１及び／又はばねモジュール８０の組み合わせの設計が異なるものも、連結装置７１によって可能である。ユーザはこのように自由に選択することができる。
【００６１】
図１１から１８は、本発明によるばね要素１の代替の実施形態を示す。図１１から１４は、第１の変形例を示し、図１５から１８は第２の変形例を示す。
一方では図１１から１４によるばね要素１は、また他方では図１５から１８によるばね要素１は、図４から６による実施形態に基本的に対応する。したがって、同じ部材は同じ符号で表す。代替の実施形態は、図１１から１４による第１の変形例に関する連結部分１００及び１０１によって、又は図１５から１８による第２の変形例に関する連結部分９０及び９１によって得られる。
【００６２】
図４から６の実施形態によれば、ばね要素１は、連結部材２７及び２８をリングの外側に有する。連結部材はそれぞれ穴２９を備える。これとは対照的に、図１１から１８によるばね要素１は、連結部材２７も２８も備えず、第１及び第２の連結部分９０及び９１又は１００及び１０１を備える。
【００６３】
図１１から１４の第１の変形例による連結部分１００又は１０１は、Ｔ字状の連結部品１０２をそれぞれ提供する。図１５から１８の第２の変形例による連結部分９０又は９１はしかし、Ｔ字状の溝９２をそれぞれ提供する。本明細書では、Ｔ字状の溝９２及びＴ字状の連結部品は互いに対応して設計される。これにより、図１１から１４の第１の変形例によるばね要素１を図１５から１８の第２の変形によるばね要素１と組み合わせて、図２６及び２７に示すように、ばねモジュール８０を形成することが可能となる。
【００６４】
一方では溝９２を、他方では連結部品１０２をＴ字状に設計することの利点は、２つのばね要素１の間で安全な位置及び正確な位置で連結して、ばねモジュール８０を確実に形成することができることである。組み立てるために、たとえば図１１に示すようなオス型ばね要素１の連結部分１００及び１０１は、横断方向４１において弾性的に格納されなければならない。つまり、連結部分１００及び１０１は互いに向かって横断方向４１に沿って移動しなければならない。図１５に示すように、この弾性的に格納された状態で、ばね要素１をメス型ばね要素に挿入することができる。それによって、連結部分１００及び１０１が有する連結部品１０２は、連結部分９０及び９１の溝９２に内側から結合する。この結合位置において、オス型ばね要素１はばね上方へ再び戻ることができ、それによって、結果的に連結部分１００及び１０１は再びお互いから離れて横断方向４１に戻る。このため、結果的に、連結部分１００及び１０１が有する連結部品１０２は、別のばね要素の連結部分９０及び９１の溝９２に関して正しい端部位置となる。最終組立状態では、図２６の側面図から特に明らかであるように、ばね要素１は端部に平坦な先端を形成する。
【００６５】
図１１から１４によるオス型ばね要素１は、好ましくは、連結部分１００及び１０１に対してスナップ式凹部２３２を備える。図１５から１８によるメス型ばね要素の連結部分９０及び９１は、スナップ式凹部２３２に対応して設計されるスナップ式突出部２３３を備える。最終組立状態では、メス型ばね要素１のスナップ式突出部２３３はオス型ばね要素１のスナップ式凹部２３２と係合し、それによって、ばね要素１が横断方向４１において外れるという望ましくないことが起こることはない。高さ方向４２において両方のばね要素１が意図せず外れることは、一方では溝９２のＴ字状の連結によって防がれ、他方では連結部品１０２によって防がれる。このようにして、全体的に安全な位置かつ固定位置で、２つのばね要素１を連結することが保証される。
【００６６】
図１５から１８による２つのメス型ばね要素を連結するために、図１９から２２に示すように、連結装置６０が提示される。２つのばね要素１を互いに連結する連結装置６０は、図２０の表示から特に明らかであるように、２つの連結部分６２及び６３によって結合される基部本体６１を備える。本明細書では、基部本体６１は、扇型の内側形状２３４を連結部分の各側面に提供する。内側形状は、ばね要素１の連結部分９０及び９１の端部側面設計に対応して設計される。
【００６７】
連結装置６０と２つのばね要素１との間をスナップ式に連結するために、連結装置６０の連結部分６２及び６３は、それぞれ１つのスナップ式拡張部２３５を有する。最終組立状態では、このスナップ式拡張部２３５は、ばね要素１の対応する穴２９と係合する。
【００６８】
図２３，２４及び２５では、２つのばね要素１は連結装置６０によって組み合わされており、異なる方向から示されている。
図２１及び２２の表示から特に明らかであるように、スナップ式拡張部２３５は、傾斜端部表面２３６を備える。この傾斜により、それぞれの連結部分６２又は６３を関連するばね要素１のＴ字型の溝９２に簡単に挿入することができる。
【００６９】
別の連結装置６０を図２８から３１に示す。この連結装置６０は、図２６及び２７に示すように、２つのばね要素８０を互いに結合するように機能する。このように互いに結合する２つのばねモジュール８０を、図３２に示す。
【００７０】
図２８から３１に示すように、２つのばねモジュール８０を互いに結合するための連結装置６０は、２つの中空の空間２３７を提供する基部本体６１を備える。本明細書では、それぞれの中空の空間２３７は、互いに組み合わさってばねモジュール８０を形成する２つのばね要素１の、互いに連結する連結部分９０及び１００、又は９１及び１０１を受容するように機能する。安全に配置するために、中空の空間２３７はスナップ式突出部をスナップ式ウェブ２３８の形で提供する。スナップ式ウェブ２３８は、最終組立状態ではばねモジュール８０の関連するスナップ式凹部と係合する。
【００７１】
図３３は本発明によるばねシステム２００の概略斜視図である。ばねシステム２００は一方では複数のばね要素１を備え、他方では複数の連結レール２０１を備える。本明細書では、各連結レール２０１は複数のばね要素１を備える。
【００７２】
例示的及び概略的にのみ図３３に示されるばねシステム２００は、１５のばね要素１及び３つの連結レール２０１を合計で備え、５つのばね要素１が各連結レール２０１に提供される。ばね要素１は連結レール２０１の長手方向２２３において、離間した様式で並んで配置される。
【００７３】
図に例示的に示されるばねシステム２００は、図にはさらに表示されないベッドマットレスの底部サスペンションとして機能する。図３７の表示が示すように、最終組立状態では、ばねシステム２００はフレーム２１２、たとえばベッドフレームによって受容される。この代表的な実施形態では、フレーム２１２を備える。フレーム２１２は、外部フレーム２１３と、内部フレーム２１４とを備える。内部フレームは、外部フレーム２１３に対して少なくとも部分的に枢動され易くてもよい。
【００７４】
内部フレーム２１４は、本発明によるばねシステム２００を受容する。ばねシステム２００の連結レール２０１に依存して、２つの支持体２０４が提供され、内部フレーム２１４のそれぞれ関連する長手方向スリーパ２１５上に位置する。図３７の表示から明らかであるように、このような支持体２０４は、ばねシステム２００の各連結レール２０１の１つの端部及びもう１つの端部の両方に配置される。
【００７５】
図３３、３４及び３６を一緒に見ると、最終組立状態では各支持体２０４が基部２０３を有することが具体的に分かる。この基部２０３を、高さ方向４２において移動可能な方法で、支持体２０４上に配置し、個別の高さ適合を実施することができる。各基部２０３は、連結レール２０１をその端部で、ばね部品２０２の介在を得て支持する。このようにして、フレーム２１２上の連結レールのばね弾性構成が保証される。
【００７６】
ばね部品２０２を連結レール２０１上に配置するために、連結レール２０１は、図３６及び４０による図面の底部に関して長手方向に延在するスロット２０８を備える。最終組立状態では、ばね部品２０２は、断面部分２０９と係合してこれらのスロット２０８に入り，このようにして、連結レール２０１をばね部品２０２に対して安全に保持することができる。
【００７７】
ばね部品２０２が、連結レール２０１によって提供されるスロット２０８から外れることを防ぐために、たとえば図３３の表示に示すように、スロット２０８を最終組立状態では閉じるようにして端部キャップ２０７を提供することもできる。
【００７８】
ばね部品２０２を基部２０３に取り付けるために、足部２１０がばね部品上に設けられる。最終組立状態では、足部は対応して設計される基部２０３の受容部２１１と係合する。受容部２１１は、たとえばＴ字型の溝であってもよい。この場合には、足部２１０はＴ字型の対応する外形も備える。
【００７９】
図３４は前述の実施形態を下から見た図である。この表示から分かるように、ばね部品２０２は連結レール２０１上で、長手方向２２３の相対的な位置において自由に配置される。連結レール２０１のスロット２０８はばね部品２０２の断面部分２０９を受容し、長手方向２２３に沿って連続して形成される。従来技術とは反対に、この設計によって、長手方向の延長部分２２３に関して長手方向スリーパの間の空間よりも大きい連結レール２０１を用いることができる。この空間はフレーム２１２によって提供される。この事実は図３７の表示から具体的に分かる。図３７では、連結レール２０１は、図３７の引き出し面に対してフレーム２１２上に延在し、外部フレームの幅に対応する長手方向２２３における延長部分を備えることが分かる。有利には、図３７の図面に関して左側及び右側の連結レール２０１によって支持されるばね要素１は、フレーム２１２の真上に配置することが可能である。ダブルベッドで一般的に用いられるように、２つのフレーム２１２を用いる場合、隣接するフレームが持つばねシステム２００の端部でのそれぞれのばね要素の間の空間２１６は、従来技術の空間よりも小さくなる。これは図３８から分かる。隣接するばねシステム２００のばね要素１の間の空間２１６は、同じばねシステム２００の隣接するばね要素１の間の距離以下である。このように、均一かつ連続的な全体の就寝領域、つまりベッドマットレスを受容する領域が設けられる。
【００８０】
連結レール２０１はＴ字型の溝２０６を備える。特に図４０の表示から分かるように、Ｔ字型の溝２０６は、長手方向２２３に延在し、ばね要素１を連結レール２０１上に配置する。この溝２０６は、連結レール２０１をばね要素１に連結するように機能する。このようなばね要素１を図１１から１４に様々な図で示す。
【００８１】
ばね要素１を連結レール２０１に取り付けるために、連結部分１００及び１０１がそれぞれ有する連結部品を用いて、連結レール２０１のＴ字型の溝２０６に導入しなければならない。本明細書では、ばね要素１を長手方向２２３に自由に配置することができる。つまりＴ字型の溝２０６の方向に、連結レール２０１に対する相対的な位置において自由に配置することができる。
【００８２】
本発明の特有の利点によれば、スペーサ２２４を、連結レール２０１の２つの隣接するばね要素１間に設けることができる。このようなスペーサ２２４を例示的に図４１に示す。このスペーサは、基部本体２２５と、拡張部分２２６とを備える。図９に示すように、最終組立状態では、スペーサ２２４の拡張部分２２６は、連結レール２０１のＴ字型の溝２０６と係合する。
【００８３】
スペーサ２２４の代わりに、連結レール２０１の上側部を覆うカバー２２７を用いて、２つのばね要素１を離間することもできる。図４２に、カバーの概略正面図を示す。レールの側面に、カバー２２７は、最終組立状態で、連結レール２０１のＴ字型の溝２０６に固定するように係合する拡張部分２２６も備える。図４２の図面に関する上側部において、カバー２２７は、このように装備した連結レール２０１の全体的な外観を改善する特別に設計した装飾を備えることもできる。
【００８４】
本発明の別の特徴によれば、図３９に示すようなアダプタ２０５を設けることもできる。アダプタ２０５は、ばね要素１と連結レール２０１との間に介在されるように機能する。図３５の表示から特に明らかであるように、アダプタ２０５によって、ばね要素１を連結レール２０１に対して９０°回転した位置に配置することができる。アダプタ２０５の介在がないと、ばね要素１の長手方向４０は、連結レール２０１の長手方向２２３を横断する。アダプタ２０５が介在すると、ばね要素１の長手方向４０及び連結レール２０１の長手方向２２３が一致する。アダプタ２０５によって９０°移動したばね要素１の構成位置によって、ベッドマットレスの「連結した」支持面を形成することができ、すべてを備えたばねの快適さが改善される。
【００８５】
図３９から分かるように、アダプタ２０５は基部２１８を備える。この基部２１８はＴ字型の連結部材２１７を図３９の図面に関して底部に有する。この連結部材は連結レール２０１のＴ字型の溝２０６に対応して設計される。
【００８６】
図３９の図面に関して基部２１８の左側及び右側に、羽根部２１９又は２２０が加えられている。これらの羽根部２１０及び２２０はアダプタ２０５をばね要素１に連結するように機能する。このために、羽根部２１９及び２２０はそれぞれ、Ｔ字型の溝２２２を提供する。Ｔ字型の溝２２２は、ばね要素１の連結部分１００及び１０１のＴ字型の連結部品１０２に対応して設計される。
【００８７】
さらに、羽根部２１９及び２２０によって提供される内側形状２２１は、連結レール２０１の覆われた外側形状に適応するため、図３３の表示からも分かるように、最終組立状態では、アダプタ２０５は連結レール２０１に隙間なく隣接することを保証する。
【００８８】
図３３から４０に示す連結レール２０１は自己支持レールであり、つまり連結レール２０１は、保持支持部によるさらなる支持を必要としない。適切な適用事例では、連結レール２０１は出現する衝撃力を受容し、その衝撃力をたとえばフレーム２１２に伝達する。
【００８９】
本発明の代替の実施形態では、連結レール２０１を自己支持ではないように備えることもできる。したがって、最終組立状態では正当に出現する力を吸収するために、保持支持部２２８が必要となる。この代替の実施形態を図４３及び４４に示し、図１１は第１の変形例を、図１２は第２の変形例を示す。
【００９０】
図４３は、連結レール２０１がスラット上にある変形例を示す。このスラットは、たとえばスラット付きフレームのスラットであり、保持支持部２２８として機能する。この場合には、保持支持部は運搬機能を担い、連結レール２０１は連結するばね要素１を保持支持部２２８に連結する役割を有する。この変形は、具体的には、後付け装置、つまりばね要素１を備える従来技術から既知であるスラット付きフレームを装備するために、適切である。本明細書では、図４３の表示から分かるように、それぞれの連結レール２０１を保持支持部２２８として各スラットに割り当てなければならない。図４４は代替手段を示す。この代替手段によれば、ネット型グリル状構造を保持支持部２２８として用いる。図４３による変形とは反対に、図４４による保持支持部２２８は１つではなく複数の連結レール２０１を備える。図示する代表的な実施形態では、このような２つの連結レール２０１を示す。
【００９１】
連結レール２０１の代替の実施形態を図４５に示す。この代替例によれば、連結レール２０１は長手方向２２３に互いに角度を付けた部分２２９を備える。この角度を付けた設計により、連結レール２０１の「ジグザグ」状の輪郭が得られる。
【００９２】
連結レール２０１をばね要素１に連結するために、連結レール２０１は連結部品２３０を備える。連結部品２３０はそれぞれ、２つの部分２２９の連結領域に形成され、長手方向２２３を横断して延在する。連結部品２３０の断面はＴ字型であり、ばね要素１の連結部分９０及び９１と協働する。ばね要素１の連結部分９０及び９１はそれぞれ、Ｔ字型の溝９２を備え、この事実は、ばね要素１に関する図１５から１８に具体的に示される。
【００９３】
ブラケット２３１は、各連結レール２０１の１つの端部に形成される。最終組立状態では、このブラケットは、隣接する連結レール２０１の別の端部に形成され、対応して設計されたポケットと係合する。このようにして、複数の連結レール２０１を互いに組み合わせ、「無限レール」を形成することができる。
【００９４】
図４５による連結レール２０１と組み合わせることができるばね要素１を、図１５から１８に示す。このばね要素１は、図１１から図１４によるすでに前述したばね要素１に基本的に対応する。ただし、前述のばね要素１とは反対に、図１５から１８によるばね要素１は、異なる連結部分を備え、つまり、連結部分９０及び９１を備える。これらのばね要素１は連結部品を備えないが、Ｔ字型の溝９２を備える。この限りでは、図１５から１８に示すばね要素１は、図４５による連結レール２０１に結合するために適切であり、図１１から１４によるばね要素１は、たとえば図３３による連結レール２０１に結合するために適切である。
【００９５】
図４６及び４７は最終的に、図４５による連結レール２０１の実施形態を詳細に示す。図４６では下から見た平面図を、図４７では上から見た上面図を示す。本明細書では、連結部品２３０のＴ字型の設計が、図４６の表示から具体的に分かる。
【００９６】
図４６及び４７からさらに分かるように、ブラケット２３１は、２つの連結レール２０１を連結するための扇型のスナップ式凹部を備える。スナップ式凹部は、最終組立状態では、別の連結レール２０１の連結ポケットに対応して設計されたスナップ式突出部と係合する。
【００９７】
図示した代表的な実施形態では、連結レール２０１の部分２２９はそれぞれ、約１３６度の角度を有する。
【符号の説明】
【００９８】
１…ばね要素、１０…ばね本体、１１…リング部品、１２…中央部分、１３…第１のリング部品部分、１４…第２のリング部品部分、１５…第１の端部領域、１６…第２の端部領域、１７…第１の連結拡張部分、１８…第２の連結拡張部分、１９…穴、２０…第２のばね本体、２１…リング部品、２２…中央部分、２３…第１のリング部品部分、２４…第２のリング部品部分、２５…第１の端部領域、２６…第２の端部領域、２７…第１の連結部材、２８…第２の連結部材、２９…ピン／穴、３０…調整部分、３１…開口部、４０…長手方向、４１…横断方向、４２…高さ方向、５０…厚み部分
６０…連結装置、６１…基部本体、６２…第１の連結部分、６３…第２の連結部分、６４…穴、６５…ウェブ、６６…凹部、７０…ばね要素マット、７１…連結装置、７２…連結スポット、８０…ばねモジュール、８１…連結領域、９０…第１の連結部分、９１…第２の連結部分、９２…Ｔ字型の溝、１００…第１の連結部分、１０１…第２の連結部分、１０２…Ｔ字型の連結部品、２００…ばねシステム、２０１…連結レール、２０２…ばね部品、２０３…基部、２０４…支持体、２０５…アダプタ、２０６…Ｔ字型の溝、２０７…端部キャップ、２０８…スロット、２０９…断面部分、２１０…足部、２１１…受容部、２１２…フレーム、２１３…外部フレーム、２１４…内部フレーム、２１５…長手方向スリーパ、２１６…空間、２１７…Ｔ字型の連結部材、２１８…基部、２１９…羽根部、２２０…羽根部、２２１…内側形状、２２２…Ｔ字型の溝、２２３…長手方向、２２４…スペーサ、２２５…基部本体、２２６…拡張部分、２２７…カバー、２２８…保持支持部、２２９…部分、２３０…連結部品、２３１…ブラケット、２３２…スナップ式凹部、２３３…スナップ式突出部、２３４…内側形状、２３５…スナップ式拡張部、２３６…端部表面、２３７…中空の空間、２３８…スナップ式ウェブ。
【図１】
2013542027.tif 000003
【図２】
2013542027.tif 000004
【図３】
2013542027.tif 000005
【図４】
2013542027.tif 000006
【図５】
2013542027.tif 000007
【図６】
2013542027.tif 000008
【図７】
2013542027.tif 000009
【図８】
2013542027.tif 000010
【図９】
2013542027.tif 000011
【図１０】
2013542027.tif 000012
【図１１】
2013542027.tif 000013
【図１２】
2013542027.tif 000014
【図１３】
2013542027.tif 000015
【図１４】
2013542027.tif 000016
【図１５】
2013542027.tif 000017
【図１６】
2013542027.tif 000018
【図１７】
2013542027.tif 000019
【図１８】
2013542027.tif 000020
【図１９】
2013542027.tif 000021
【図２０】
2013542027.tif 000022
【図２１】
2013542027.tif 000023
【図２２】
2013542027.tif 000024
【図２３】
2013542027.tif 000025
【図２４】
2013542027.tif 000026
【図２５】
2013542027.tif 000027
【図２６】
2013542027.tif 000028
【図２７】
2013542027.tif 000029
【図２８】
2013542027.tif 000030
【図２９】
2013542027.tif 000031
【図３０】
2013542027.tif 000032
【図３１】
2013542027.tif 000033
【図３２】
2013542027.tif 000034
【図３３】
2013542027.tif 000035
【図３４】
2013542027.tif 000036
【図３５】
2013542027.tif 000037
【図３６】
2013542027.tif 000038
【図３７】
2013542027.tif 000039
【図３８】
2013542027.tif 000040
【図３９】
2013542027.tif 000041
【図４０】
2013542027.tif 000042
【図４１】
2013542027.tif 000043
【図４２】
2013542027.tif 000044
【図４３】
2013542027.tif 000045
【図４４】
2013542027.tif 000046
【図４５】
2013542027.tif 000047
【図４６−４７】
2013542027.tif 000048
【国際調査報告】
2013542027.tif 000049
2013542027.tif 000050
2013542027.tif 000051
2013542027.tif 000052
2013542027.tif 000053
2013542027.tif 000054
2013542027.tif 000055
2013542027.tif 000056
2013542027.tif 000057
2013542027.tif 000058